(57)【特許請求の範囲】
【請求項１】
登山スキー又はテレマークスキー用のスキーブーツであって、前記スキーブーツは、
底側部（９）、２つの側壁（６）、並びにつま先部（５）を有し、プラスチックからなるシェル（２）と、
前記シェル（２）にヒンジ留めされたシャンク部（４）と、
前記ブーツの後部（１５）に位置され、前記シェルに関して前記シャンク部の傾斜を制御するための制御メカニズム（１４）と、
第１の保持部分（２３）と第２の保持部分（２４）であって、それらのうち一方が前記シェル（２）と一体的であり、他方が前記シャンク部（４）と一体的である第１の保持部分（２３）と第２の保持部分（２４）と、
前記第１の保持部分（２３）にヒンジ留めされ、一端（２５）が、前記シャンク部（４）の後側への回転を防止するように前記第２の保持部分（２４）に載置される作動位置と、解放位置との間で移動可能なレバー部材（２０）と、
を備え、
前記制御メカニズム（１４）は、前記第２の保持部分（２４）に確定された第３の保持部分（２８）と、
前記レバー部材（２０）と前記第２の保持部分（２４）の一方に担持される補助のロック部材（２７）であって、前記レバー部材（２０）を前記第３の保持部分（２８）に接続するロック位置と、非ロック位置との間で移動可能である補助のロック部材（２７）と、
を具備することを特徴とするスキーブーツ。
【請求項２】
前記第１の保持部分（２３）は、前記シャンク部（４）と一体的であり、また、前記第２の保持部分（２４）は、前記シェル（２）と一体的であることを特徴とする請求項１に記載のスキーブーツ。
【請求項３】
前記第１の保持部分（２３）は、前記シャンク部（４）の後部突出部（２３）によって形成され、前記第２の保持部分（２４）は、前記レバー部材（２０）に面する上面（２６）によって規定された前記シェル（２）の後部突出部（２４）によって形成されていることを特徴とする請求項２に記載のスキーブーツ。
【請求項４】
前記補助のロック部材（２７）は、前記レバー部材（２０）によって動かされることを特徴とする請求項１ないし３のいずれか１項に記載のスキーブーツ。
【請求項５】
前記補助のロック部材（２７）は、前記レバー部材（２０）にヒンジ留めされていることを特徴とする請求項４に記載のスキーブーツ。
【請求項６】
前記補助のロック部材（２７）は、金属製のリング（２７）により形成されていることを特徴とする請求項１ないし５のいずれか１項に記載のスキーブーツ。
【請求項７】
前記第３の保持部分（２８）は、前記シェルの後部突出部（２４）に形成され、前記ロック位置で前記リング（２７）を収容するための座部（２８）であることを特徴とする請求項６に記載のスキーブーツ。
【請求項８】
前記作動位置にある前記シェル（２）及び前記レバー部材（２０）は、前記非ロック位置において、前記補助のロック部材（２７）を収容するためのキャビティ（３０）を形成することを特徴とする請求項１ないし６のいずれか１項に記載のスキーブーツ。
【発明の詳細な説明】
【０００１】
【発明の属する技術分野】
本発明は、特に、スキー登山、もしくはテレマーク用のスキーブーツに関する。
【０００２】
【従来の技術】
スキー登山用のブーツは、プラスチック材料からなるシェルと、ソール、並びに足首で前記シェルにヒンジ留めされたシャンク部とを有するものが知られている。
【０００３】
スキー登山は、ダウンヒル（滑降）ポジションと、アップヒルもしくはウォーキングポジションをとることができるブーツを必要とする。前記ダウンヒルポジションにおいては、滑降用のスキーブーツを着用した場合、このブーツのつま先部とかかと部の両方の位置がスキー板に対して留められ、前記ブーツのシャンク部がシェルに固く固定されるポジションをとり、また、前記アップヒルもしくはウォーキングポジションにおいては、クロスカントリースキーの場合にスキーが雪上に引きずられ得るように、ブーツのつま先部だけがスキー板に留められ、かかと部は自由になっている、すなわちスキー板から上方へ離れるポジションをとる。
【０００４】
このタイプのブーツの主要な欠点は、柔らかい雪のダウンヒルをスキーで滑るとき、ポジションの変化をさせることができないことである。
【０００５】
この問題に対する解決手段によって、スキー登山用のブーツは、ダウンヒルを斜めに滑るとき、使用者の体重が前側へ移るようにシャンク部の前側へ回転し、ターンのとき、過剰な後側のポジションを妨げるシェルに対して、シャンク部の後側への回転を防止するメカニズムを有することが提案されてきた。
【０００６】
【発明が解決しようとする課題】
しかし、このタイプのブーツは、スキー板を制御するのを困難にさせ、かつ、けがの危険性を増大するシェルに対し、シャンクがわずかに回転するとしても、硬い雪もしくはスキートラック上のダウンヒルスキーをするのに十分に硬くはない。
【０００７】
テレマークスキーは、通常のスキーにおいて固く留められているのとは対照的に、かかと部がスキーから上方へ離れた状態でターンすることが要求されるという類似の問題が課されている。公知のブーツは、通常、シェルに対してシャンク部が前後への回転が自由であり、かつシャンク部がロックされたダウンヒルポジションをとることができるスキーでなければ、アップヒルもしくはウォーキングポジションをとる。一方で、他の公知モデルは、シャンク部がシェル部に対して前側へわずかに回転することができる。
【０００８】
したがってまた、このタイプのブーツは、雪の特定の種別に対してのみ設計されていることによって、オールラウンドの性能を提供することができない。
【０００９】
本発明の目的は、上記の公知のブーツに典型的に付随する問題を解決するように設計された、特に、スキー登山、もしくはテレマーク用のプラスチック製スキーブーツを提供することである。
【００１０】
【課題を解決するための手段】
本発明に関し、底側部、２つの側壁、並びにつま先部を有し、プラスチックからなるシェルと、このシェルにヒンジ留めされたシャンク部と、ブーツの後部に位置され、前記シェルに対して前記シャンク部の傾斜を制御するための制御メカニズムと、
一方が前記シェルと一体的であり、他方が前記シャンク部と一体的である第１及び第２の保持部分と、
前記第１の保持部分にヒンジ留めされ、一端が、前記シャンク部の後側への回転を防止するように前記第２の保持部分に載置される作動位置と、解放位置との間で移動可能であるレバー部材と、
を具備するスキーブーツにおいて、
前記制御メカニズムは、前記第２の保持部分と一体的である第３の保持部分と、少なくとも、前記レバー部材をこの第３の保持部分に接続するロック位置と非ロック位置との間で移動可能な補助のロック部材と、を具備することを特徴とするスキーブーツを提供する。
【００１１】
限定されないが、好ましい本発明の実施の形態は、図面を参照して実施例によって説明される。
【００１２】
【発明の実施の形態】
図１において、参照符号１は、スキーブーツ、特にスキー登山用のスキーブーツ全体を示している。
【００１３】
ブーツ１は、プラスチック材料からなるシェル２と、ソール（靴底）３と、足首で前記シェル２にヒンジ留めされたシャンク部４とを実質的に有する。
【００１４】
前記シェル２（図１）は、つま先部５と、公知の舌部７によって閉じられた前部の開口（図に示されていない）を形成する２つの側壁６と、底側部、すなわち前記シェルの底を閉じ、かかと部９ａを突出して形成している内側ソール９とを一体的に有する。また、この内側ソール９は、前記つま先部５から突出し、公知の形式でスキー板への留め金（図示されていない）と協働するつま先フランジ９ｂを形成している。エラストマー材料からなる外側ソール１０は、前記内側ソール９の底部に固定され、この内側ソール９と共にソール３を形成する。
【００１５】
また、シェル２は、前記シェルに関して、前記ソール３の一端から他端へ横方向に延出し、ほぼ着用者の中足、すなわち前記シェル２のつま先部５の近くに位置されている可撓性部分１１を有する。
【００１６】
この可撓性部分１１は、丸まった中間部１２ａによって分離された２つの溝１２によって規定された波状に起伏した外形を有し、足の自然な曲げ軸に斜めに沿うように都合よく延出し、また、ブーツ１の外側にある他端に対して、前側に位置したブーツ１の内側にある一端を有する。
【００１７】
前記シャンク部４は、前記足首のヒンジの横断軸に沿うそれぞれのヒンジ１３によって、前記シェル２の２つの側壁６に接続され、ブーツ１は、このブーツ１の後側部分１５で、前記かかと部のほぼ上方に位置され、前記シェル２に対してチャンク部４の傾斜を制御する制御メカニズム１４を有する。
【００１８】
この傾斜制御メカニズム１４は、前記シャンク部４の後側の突出部２３によって規定された第１の保持部分に、前記ブーツ１に関して横方向の水平軸Ａを備えたピン２１によってヒンジ留めされた第１の端２２を備えたレバー２０を有する。
【００１９】
前記ブーツ１のシェル２は、前記シャンク部４の突出部２３から、下方へ離間された後側の突出部２４を有する。この突出部２４は、前記レバー２０に面する上面２６によって規定され、後で詳細に説明されるほぼ水平なリセス２８を備えた後面を有する。
【００２０】
前記レバー２０は、前記シャンク部４が前記シェル２に対して後側へ回転するのを防止するように、前記レバー２０の第２の端２５が前記突出部２４の上面に当接している下部作動位置（図１）と、前記シャンク部４が前記シェル２から十分離されて持ち上げられた位置、すなわち非ロック位置（図５）との間で移動可能である。
【００２１】
また、前記制御メカニズム１４は、水平に延出した金属製のリング２７を有し、このリング２７のほぼ水平な部分（図示されていない）は、前記軸Ａに平行な軸Ｂのまわりで前記レバー２０にヒンジ留めされるように、このレバー２０の第２の端２５に形成された横方向の貫通孔の内側に収容されている。
【００２２】
前記レバー２０が前記作動位置にあるとき、前記リング２７は、前記シェル２に対して前記シャンク部４の前側への回転をも防止するように前記リセス２８に係合するロック位置へセットされることができる。
【００２３】
前記シェル２は、前記レバー２０に面し、このレバー２０が前記作動位置にある状態のときに、キャビティ３０を形成するように凹んだ後部２９を有する。
【００２４】
実際の使用において、前記リング２７が前記リセス２８から外されるとき、前記レバー２０は、図１の作動位置から図５の持ち上げられた位置へ軸Ａの周りに回転され得、また、前記シェル２に対して前記シャンク部４の後側への回転を可能とする。この位置は、通常、登山もしくはウォーキングのときに使用される。
【００２５】
前記レバー２０が作動位置にあるとき、前記端２５は、上述のように前記シャンク部４の後側への回転を防止するように、前記後部突出部２４の上面２６に当接し、前記リング２７は、上述の作動位置と、図３及び４に示されているように、前記キャビティ３０の内側で、このリング２７の移動経路から安全に収容された当接位置との両方にセットされることができる。
【００２６】
図３及び４の位置は、前記シャンク部４の後側への回転を防止するだけであり、したがって、柔らかい雪のダウンヒルをスキーで滑るときに有用であるのに加え、図１の位置（前記レバー２０が作動位置にあり、前記リング２７がロック位置にある）は、前記シェル２に対して、前記シャンク４のいかなる回転も防止し、したがって、硬い雪のダウンヒルもしくはスキートラックをスキーで滑るときに特に有用である。
【００２７】
【発明の効果】
本発明に係るブーツの効果は、前述の記載から明らかとなる。
【００２８】
特に、前記シェルに対して、前記シャンク部の傾斜を制御するためのメカニズムは、前記ブーツが公知の典型的なブーツの設計上の制限に制約されないことによって、より汎用性があるように、動作される雪の種別や状態の相違に対して、前記シャンク部の保持を適応することを提供する。
【００２９】
さらに、前記リング２７が、前記シェル２と前記シャンク部４との間のキャビティ３０の内側に安全に収容され得ることによって、衝撃もしくはもつれに対して保護される。
【００３０】
本明細書中に記載されていないが、請求の範囲から逸脱しない変形が、明らかにブーツ１になされることができる。
【００３１】
特に、前記レバー２０は、前記シャンク部４ではなく、前記シェル２と一体的な第１の保持部分にヒンジ留めされ、前記シャンク部４と一体的な第２の保持部分と協働しても良い。また、前記リング２７は、前記レバー２０と、前記第２の保持部分に一体的な第３の保持部分との間で選択的に作用されるあらゆる補助のロック部材によって取り替えられることができる。
【図面の簡単な説明】
【図１】図１は、本発明に関するスキーブーツの側面図を示す。
【図２】図２は、第１の部分で、傾斜を制御する制御メカニズムを備えた図１のブーツの部分後面図を示す。
【図３】図３は、第２の部分で、傾斜を制御する制御メカニズムを備えた図１のブーツの部分後面図を示す。
【図４】図４は、第２の部分で、傾斜を制御する制御メカニズムを備えた図１のブーツの部分側面図を示す。
【図５】図５は、第３の部分で、傾斜を制御する制御メカニズムを備えた図２のブーツの部分後面図を示す。
【符号の説明】
１……ブーツ
２……シェル
４……シャンク部
１４……制御メカニズム
２０……レバー
２７……リング
２８……リセス
３０……キャビティ
【図１】
0004057299.tif 000002
【図２】
0004057299.tif 000003
【図３】
0004057299.tif 000004
【図４】
0004057299.tif 000005
【図５】
0004057299.tif 000006